(57)【要約】      （修正有）【課題】複数種類の情報を継続的に表示することができ、しかも、あるタイミングでは一の情報を視認し易く、別のタイミングでは他の情報を視認し易くすることが可能な表示ラベルを提供する。【解決手段】商品容器に貼付して用いる表示ラベル１である。基材シート２と、基材シート２の裏面に設けられる粘着層と、を備え、基材シート２は、メイン領域４と、メイン領域４に連結される、少なくとも一のサブ領域６と、を有し、サブ領域６は、メイン領域４の上下左右いずれかの方向に突出するように配置されており、メイン領域４とサブ領域６との境界部に、メイン領域４の最大幅Ｗｍおよびサブ領域６の最大幅Ｗｓより幅が狭い幅狭部８が形成されている。【選択図】図１
0003216249.tif 000002
【実用新案登録請求の範囲】
【請求項１】
商品容器に貼付して用いる表示ラベルであって、
基材シートと、前記基材シートの裏面に設けられる粘着層と、を備え、
前記基材シートは、メイン領域と、前記メイン領域に連結される、少なくとも一のサブ領域と、を有し、
前記サブ領域は、前記メイン領域の上下左右いずれかの方向に突出するように配置されており、
前記メイン領域と前記サブ領域との境界部に、前記メイン領域の最大幅および前記サブ領域の最大幅より幅が狭い幅狭部が形成されていることを特徴とする表示ラベル。
【請求項２】
前記メイン領域と前記サブ領域は端部同士で直接的に連結されていることを特徴とする請求項１に記載の表示ラベル。
【請求項３】
前記メイン領域と前記サブ領域は連結領域を介して間接的に連結されていることを特徴とする請求項１または２に記載の表示ラベル。
【請求項４】
前記サブ領域が、前記メイン領域の左右方向に突出するように配置されていることを特徴とする請求項１から３のいずれか一項に記載の表示ラベル。
【請求項５】
前記サブ領域が、前記メイン領域の上下方向に突出するように配置されていることを特徴とする請求項１から４のいずれか一項に記載の表示ラベル。
【請求項６】
前記メイン領域と前記サブ領域は、形状、模様および色彩からなる群より選択される少なくとも一の要素が異なっていることを特徴とする請求項１から５のいずれか一項に記載の表示ラベル。
【請求項７】
前記メイン領域の表面にメインメッセージが表示され、
前記サブ領域の表面に前記メインメッセージとは内容が異なるサブメッセージが表示されていることを特徴とする請求項１から６のいずれか一項に記載の表示ラベル。
【請求項８】
商品容器と、請求項１から７のいずれか一項に記載の表示ラベルと、を備え、
前記商品容器の表面に、前記表示ラベルが貼着されたラベル付き商品容器であって、
前記商品容器を正面視した際に、前記表示ラベルの前記メイン領域が前記商品容器の正面に位置し、前記表示ラベルのサブ領域が前記商品容器の天面、側面、背面および底面からなる群より選択される少なくとも一の面に位置するように、前記表示ラベルが前記商品容器に貼着されていることを特徴とするラベル付き商品容器。
【請求項９】
前記表示ラベルは、前記サブ領域が、前記メイン領域の左右方向に突出するように配置されている表示ラベルであり、
前記商品容器を正面視した際に、前記表示ラベルの前記メイン領域が前記商品容器の正面に位置し、前記表示ラベルのサブ領域が前記商品容器の側面または前記商品容器の背面に位置するように、前記表示ラベルが前記商品容器に貼着されていることを特徴とする請求項８に記載のラベル付き商品容器。
【請求項１０】
前記表示ラベルは、前記サブ領域が、前記メイン領域の上下方向に突出するように配置されている表示ラベルであり、
前記商品容器を正面視した際に、前記表示ラベルの前記メイン領域が前記商品容器の正面に位置し、前記表示ラベルのサブ領域が前記商品容器の天面、前記商品容器の背面または前記商品容器の底面に位置するように、前記表示ラベルが前記商品容器に貼着されていることを特徴とする請求項８に記載のラベル付き商品容器。
【考案の詳細な説明】
【技術分野】
【０００１】
本考案は、例えば香粧品などの商品を充填する商品容器に貼着して用いる商品の表示ラベルおよびその表示ラベルを用いたラベル付きの商品容器に関するものである。
【背景技術】
【０００２】
近年、商品容器に貼付して用いる表示ラベルには多種多様な情報を表示することが求められている。前記情報としては、例えば、商品の内容、特徴、購入者が得られる利益・メリットなどの商品の広告宣伝的情報；商品の使用方法や商品を使用する際の注意事項などの説明書的情報；等が挙げられる。
【０００３】
そこで、複数種類の情報を表示した表示ラベルが提案されている。例えば、ラベル基材の表面に、商品の品名が表示された品名表示部と、前記商品の作り方が表示された説明表示部と、を有する表示ラベルが提案されている（特許文献１）。
【０００４】
また、下記（１）または（２）に示す表示ラベルも、飲料・食品・化粧品・医薬品に代表されるようなコンビニエンスストアやドラッグストア等の店頭で販売されている商品に、広告宣伝的情報や説明書的情報などの商品関連情報を提供する目的で広く使用されている。
（１）第１の情報が表示された第１のラベルを剥離すると、第２の情報が表示された第２のラベルが出現する表示ラベル。
（２）折り畳み部分を有し、ラベルが折り畳まれた状態では第１の情報が表示され、折り畳み部分を展開した状態では第２の情報が表示される表示ラベル。
【先行技術文献】
【特許文献】
【０００５】
【特許文献１】特開２００２−５５６１４号公報
【考案の概要】
【考案が解決しようとする課題】
【０００６】
ところで、表示ラベルに複数種類の情報を表示する場合、それらの情報が同じタイミングで必要とされる情報とは限らない。例えば、店頭での商品陳列時には、商品の内容、特徴、購入者が得られる利益・メリットなどの商品の広告宣伝的情報が重要な情報であり、商品の使用方法や商品を使用する際の注意事項などの説明書的情報はさほど重要な情報ではない。一方、商品購入後、商品の使用時には、商品の使用方法や商品を使用する際の注意事項などの説明書的情報が重要な情報であり、商品の内容、特徴、購入者が得られる利益・メリットなどの商品の広告宣伝的情報はさほど重要な情報ではない。従って、例えば、商品陳列時には説明書的情報よりも広告宣伝的情報が視認し易く、商品使用時には広告宣伝的情報よりも説明書的情報が視認し易いように表示ラベルを構成することができれば便利である。
【０００７】
しかしながら、特許文献１に記載の表示ラベルは、品名表示部と説明表示部を同時に表示するものであり、あるタイミングでは品名表示部が視認し易く、別のタイミングでは説明表示部が視認し易いという機能を有するものではなかった。
【０００８】
また、前記（１）の表示ラベルは、一旦、第１のラベルを剥離してしまうと、第１のラベルに表示された第１の情報を二度と利用することができなくなるという問題があった。更に、前記（２）の表示ラベルは、一旦、折り畳み部分を展開してしまうと、元の折り畳まれた状態に戻すことが難しいという問題があった。即ち、前記（１）または（２）の表示ラベルは、第１の情報と第２の情報を継続的に表示することができ、あるタイミングでは第１の情報が視認し易く、別のタイミングでは第２の情報が視認し易いという機能を有するものではなかった。
【０００９】
以上説明したように、従来、複数種類の情報を表示する表示ラベルは存在したものの、その複数種類の情報を継続的に表示することができ、しかも、あるタイミングでは一の情報を視認し易く、別のタイミングでは他の情報を視認し易くすることが可能な表示ラベルは未だ提案されていない。
【００１０】
本考案は、前記従来技術が有する課題を解決するものである。すなわち、本考案は、複数種類の情報を継続的に表示することができ、しかも、あるタイミングでは一の情報を視認し易く、別のタイミングでは他の情報を視認し易くすることが可能な表示ラベルを提供するものである。
【課題を解決するための手段】
【００１１】
本考案者らは、前記従来技術が有する課題を解決すべく鋭意検討を重ねた結果、
（１）表示シールを構成する基材シートをメイン領域とこれに連結するサブ領域から構成すること；
（２）前記サブ領域を、前記メイン領域の上下左右いずれかの方向に突出するように配置すること；
（３）前記メイン領域と前記サブ領域との境界部に、前記メイン領域の最大幅および前記サブ領域の最大幅より幅が狭い幅狭部を形成すること；
によって、複数種類の情報を継続的に表示することができ、しかも、あるタイミングでは一の情報を視認し易く、別のタイミングでは他の情報を視認し易くすることが可能となり、前記従来技術が有する課題を解決可能であることを見出して、本考案を完成するに至った。即ち、前記課題は以下に示す本考案によって解決される。
【００１２】
［１］表示ラベル：
本考案は、商品容器に貼付して用いる表示ラベルであって、基材シートと、前記基材シートの裏面に設けられる粘着層と、を備え、前記基材シートは、メイン領域と、前記メイン領域に連結される、少なくとも一のサブ領域と、を有し、前記サブ領域は、前記メイン領域の上下左右いずれかの方向に突出するように配置されており、前記メイン領域と前記サブ領域との境界部に、前記メイン領域の最大幅および前記サブ領域の最大幅より幅が狭い幅狭部が形成されていることを特徴とする表示ラベル；
である。
【００１３】
本考案の表示ラベルは、
前記メイン領域と前記サブ領域は端部同士で直接的に連結されていること；
前記メイン領域と前記サブ領域は連結領域を介して間接的に連結されていること；
前記サブ領域が、前記メイン領域の左右方向に突出するように配置されていること；
前記サブ領域が、前記メイン領域の上下方向に突出するように配置されていること；
前記メイン領域と前記サブ領域は、形状、模様および色彩からなる群より選択される少なくとも一の要素が異なっていること；
前記メイン領域の表面にメインメッセージが表示され、前記サブ領域の表面に前記メインメッセージとは内容が異なるサブメッセージが表示されていること；
が好ましい。
【００１４】
［２］ラベル付き商品容器：
また、本考案は、商品容器と、前記［１］に記載の表示ラベルと、を備え、前記商品容器の表面に、前記表示ラベルが貼着されたラベル付き商品容器であって、前記商品容器を正面視した際に、前記表示ラベルの前記メイン領域が前記商品容器の正面に位置し、前記表示ラベルのサブ領域が前記商品容器の天面、側面、背面および底面からなる群より選択される少なくとも一の面に位置するように、前記表示ラベルが前記商品容器に貼着されていることを特徴とするラベル付き商品容器；
である。
【００１５】
本発明のラベル付き商品容器は、
前記表示ラベルは、前記サブ領域が、前記メイン領域の左右方向に突出するように配置されている表示ラベルであり、前記商品容器を正面視した際に、前記表示ラベルの前記メイン領域が前記商品容器の正面に位置し、前記表示ラベルのサブ領域が前記商品容器の側面または前記商品容器の背面に位置するように、前記表示ラベルが前記商品容器に貼着されていること；
前記表示ラベルは、前記サブ領域が、前記メイン領域の上下方向に突出するように配置されている表示ラベルであり、前記商品容器を正面視した際に、前記表示ラベルの前記メイン領域が前記商品容器の正面に位置し、前記表示ラベルのサブ領域が前記商品容器の天面、前記商品容器の背面または前記商品容器の底面に位置するように、前記表示ラベルが前記商品容器に貼着されていること；
が好ましい。
【考案の効果】
【００１６】
本考案の表示ラベルおよび本考案のラベル付き商品容器は、複数種類の情報を継続的に表示することができ、しかも、あるタイミングでは一の情報を視認し易く、別のタイミングでは他の情報を視認し易くすることが可能である。
【図面の簡単な説明】
【００１７】
【図１】本考案の表示ラベルの一の実施形態を示す平面図である。
【図２】従来の表示ラベルの一の実施形態を示す平面図である。
【図３Ａ】本考案の表示ラベルの別の実施形態を示す平面図である。
【図３Ｂ】本考案の表示ラベルの更に別の実施形態を示す平面図である。
【図３Ｃ】本考案の表示ラベルの更にまた別の実施形態を示す平面図である。
【図３Ｄ】本考案の表示ラベルの別の実施形態を示す平面図である。
【図３Ｅ】本考案の表示ラベルの更に別の実施形態を示す平面図である。
【図３Ｆ】本考案の表示ラベルの更にまた別の実施形態を示す平面図である。
【図３Ｇ】本考案の表示ラベルの別の実施形態を示す平面図である。
【図３Ｈ】本考案の表示ラベルの更に別の実施形態を示す平面図である。
【図４Ａ】本考案のラベル付き商品容器の一の実施形態を示す正面図である。
【図４Ｂ】図４Ａに示すラベル付き商品容器の側面図である。
【考案を実施するための形態】
【００１８】
以下、図面を参照しながら、本考案を実施するための形態について具体的に説明する。ただし、本考案はその特定事項を満たす全ての実施形態を包含するものであり、以下に示す実施形態のみに限定されるものではない。
【００１９】
［１］本考案の表示ラベルの特徴：
本考案の表示ラベルは、図１に示す表示ラベル１のように、
（１）基材シート２が、メイン領域４と、メイン領域４に連結される、少なくとも一のサブ領域６と、を有している点；
（２）サブ領域６が、メイン領域４の上下左右いずれかの方向に突出するように配置されている点；
（３）メイン領域４とサブ領域６との境界部に、メイン領域４の最大幅Ｗｍおよびサブ領域６の最大幅Ｗｓより幅が狭い幅狭部８が形成されている点；
に特徴がある。
【００２０】
前記（１）の構成を採用することにより、複数種類の情報をメイン領域４とサブ領域６に区分して表示することができる。また、前記（２）の構成を採用することにより、メイン領域４を商品容器の一の面（例えば正面）に配置させ、サブ領域６を商品容器の他の面（例えば側面、天面、背面）に回り込ませ、前記一の面方向からは視認し難くさせることができる。更に、前記（３）の構成を採用することにより、メイン領域４とサブ領域６とを独立した領域として視認することができる。
【００２１】
ここで、本考案の特徴的構成を有しない従来構造の表示ラベルの例を図２に示す。図２に示す表示ラベル１０１は、基材シート１０２が、メイン領域１０４のみで構成され、メイン領域１０４に連結される、少なくとも一のサブ領域を有していない。このような構成の表示ラベル１０１において、メイン領域１０４に複数種類の情報を表示した場合、複数種類の情報は同時に表示されてしまうため、あるタイミングでは一の情報を視認し易く、別のタイミングでは他の情報を視認し易くする、という効果を発揮させることは困難である。
【００２２】
［２］本考案の表示ラベルの構成：
図１に示す表示ラベル１は、商品容器に貼付して用いる表示ラベル１であり、基材シート２と、基材シート２の裏面に設けられる粘着層と、を備えている。
【００２３】
［２−１］基材シート：
基材シート２は、メイン領域４と、メイン領域４に連結される、一のサブ領域６と、を有している。但し、基材シートは、「少なくとも一」、即ち、複数のサブ領域を有しているものであってもよい。
【００２４】
サブ領域６は、メイン領域４の右方向に突出するように配置されている。但し、サブ領域はメイン領域の上下左右いずれかの方向に突出するように配置されていれば足りる。前記サブ領域が、前記メイン領域の左右方向に突出するように配置されている形態では、前記メイン領域を商品容器の正面に配置し、前記サブ領域を商品容器の側面または背面に回り込ませることができる。また、前記サブ領域が、前記メイン領域の上下方向に突出するように配置されている形態では、前記メイン領域を商品容器の正面に配置し、前記サブ領域を商品容器の天面、背面または底面に回り込ませることができる。
【００２５】
基材シート２においては、メイン領域４とサブ領域６は端部同士で直接的に連結されている。そして、メイン領域４とサブ領域６との境界部に、メイン領域４の最大幅Ｗｍおよびサブ領域６の最大幅Ｗｓより幅が狭い幅狭部８が形成されている。但し、前記メイン領域と前記サブ領域は連結領域を介して間接的に連結されていてもよい。このような形態においては前記連結領域を幅狭部とすることができる。前記連結領域の形状は特に限定されない。例えば、前記メイン領域および前記サブ領域より幅狭な帯状とすることができる。
【００２６】
基材シート２においては、メイン領域４が王冠を平面視した形状に形成され、サブ領域６が略円形状に形成されている。但し、メイン領域の形状やサブ領域の形状はこのような形状に限定されるものではなく、所望の形状を採用することができる。
【００２７】
前記のように基材シート２においては、メイン領域４が王冠を平面視した形状、サブ領域６が略円形状に形成され、メイン領域４とサブ領域６の形状が異なっている。このような形態とすると、メイン領域４とサブ領域６を独立した領域として視認させることが容易となる。
【００２８】
メイン領域とサブ領域を独立した領域として視認させるためには、メイン領域とサブ領域の形状、模様および色彩からなる群より選択される少なくとも一の要素が異なっていることが好ましい。例えば、（１）メイン領域の下地に模様を施し、サブ領域の下地は無模様とする；（２）メイン領域を濃色、サブ領域を淡色ないし白色に着色する；などは好ましい形態の一つである。
【００２９】
表示ラベル１においては、メイン領域４の表面にメインメッセージが表示され、サブ領域６の表面にメインメッセージとは内容が異なるサブメッセージが表示されている。表示ラベル１においては、メイン領域４に「ストレートヘア用」という商品の特徴、購入者が得られる利益・メリットなどの商品の広告宣伝的情報からなるメインメッセージが表示されている。また、サブ領域６には、「よく振って真下に向けて使う」という文章からなる、商品の使用方法や商品を使用する際の注意事項などの説明書的情報からなるサブメッセージが表示されている。但し、メインメッセージとサブメッセージの内容は特にこのような情報に限定されるものではない。メインメッセージとサブメッセージの情報の内容が異なっており、各々を視認させ易くするタイミングが異なるものを適宜選択して表示すれば足りる。
【００３０】
以下、図３Ａから図３Ｈを参照しながら、基材シートのメイン領域とサブ領域の形状に関する具体的な構成例を示す。
【００３１】
（１）図３Ａ：
図３Ａに示す表示ラベル１Ａにおいては、基材シート２Ａが、メイン領域４Ａと、メイン領域４Ａに連結される、一のサブ領域６Ａと、を有している。メイン領域４Ａは略矩形状に、サブ領域６Ａは略円形状に形成されている。サブ領域６Ａは、メイン領域４Ａの左方向に突出するように配置されている。メイン領域４Ａとサブ領域６Ａは端部同士で直接的に連結されている。そして、メイン領域４Ａとサブ領域６Ａとの境界部に、メイン領域４Ａの最大幅Ｗｍ１およびサブ領域６Ａの最大幅Ｗｓ１より幅が狭い幅狭部８Ａが形成されている。
【００３２】
（２）図３Ｂ：
図３Ｂに示す表示ラベル１Ｂにおいては、基材シート２Ｂが、メイン領域４Ｂと、メイン領域４Ｂに連結される、一のサブ領域６Ｂと、を有している。メイン領域４Ａは略矩形状に、サブ領域６Ａは略円形状に形成されている。サブ領域６Ｂは、メイン領域４Ｂの上方向に突出するように配置されている。メイン領域４Ｂとサブ領域６Ｂは端部同士で直接的に連結されている。そして、メイン領域４Ｂとサブ領域６Ｂとの境界部に、メイン領域４Ｂの最大幅Ｗｍ２およびサブ領域６Ｂの最大幅Ｗｓ２より幅が狭い幅狭部８Ｂが形成されている。
【００３３】
（３）図３Ｃ：
図３Ｃに示す表示ラベル１Ｃにおいては、基材シート２Ｃが、メイン領域４Ｃと、メイン領域４Ｃに連結される、二のサブ領域６Ｃ，６Ｃ’と、を有している。メイン領域４Ｃは略矩形状に、サブ領域６Ｃ，６Ｃ’は略円形状に形成されている。サブ領域６Ｃはサブ領域６Ｃ’よりも面積が大となるように形成されている。サブ領域６Ｃは、メイン領域４Ｃの左方向に突出するように配置され、サブ領域６Ｃ’は、メイン領域４Ｃの右方向に突出するように配置されている。
【００３４】
メイン領域４Ｃとサブ領域６Ｃ，６Ｃ’は端部同士で直接的に連結されている。そして、メイン領域４Ｃとサブ領域６Ｃとの境界部に、メイン領域４Ｃの最大幅Ｗｍ３およびサブ領域６Ｃの最大幅Ｗｓ３より幅が狭い幅狭部８Ｃが形成され、メイン領域４Ｃとサブ領域６Ｃ’との境界部に、メイン領域４Ｃの最大幅Ｗｍ３およびサブ領域６Ｃの最大幅Ｗｓ３’より幅が狭い幅狭部８Ｃ’が形成されている。
【００３５】
（４）図３Ｄ：
図３Ｄに示す表示ラベル１Ｄにおいては、基材シート２Ｄが、メイン領域４Ｄと、メイン領域４Ｄに連結される、二のサブ領域６Ｄ，６Ｄ’と、を有している。メイン領域４Ｄは略矩形状に、サブ領域６Ｄ，６Ｄ’は略円形状に形成されている。サブ領域６Ｄはサブ領域６Ｄ’よりも面積が大となるように形成されている。サブ領域６Ｄは、メイン領域４Ｄの上方向に突出するように配置され、サブ領域６Ｄ’は、メイン領域４Ｄの右方向に突出するように配置されている。
【００３６】
メイン領域４Ｄとサブ領域６Ｄ，６Ｄ’は端部同士で直接的に連結されている。そして、メイン領域４Ｄとサブ領域６Ｄとの境界部に、メイン領域４Ｄの最大幅Ｗｍ４およびサブ領域６Ｄの最大幅Ｗｓ４より幅が狭い幅狭部８Ｄが形成され、メイン領域４Ｄとサブ領域６Ｄ’との境界部に、メイン領域４Ｄの最大幅Ｗｍ４’およびサブ領域６Ｄの最大幅Ｗｓ４’より幅が狭い幅狭部８Ｄ’が形成されている。
【００３７】
（５）図３Ｅ：
図３Ｅに示す表示ラベル１Ｅにおいては、基材シート２Ｅが、メイン領域４Ｅと、メイン領域４Ｅに連結される、二のサブ領域６Ｅ，６Ｅ’と、を有している。メイン領域４Ｅ、サブ領域６Ｅ，６Ｅ’はいずれも略円形状に形成されている。メイン領域４Ｅ、サブ領域６Ｅ，６Ｅ’は同面積となるように形成されている。サブ領域６Ｅは、メイン領域４Ｅの左方向に突出するように配置され、サブ領域６Ｅ’は、メイン領域４Ｅの右方向に突出するように配置されている。
【００３８】
メイン領域４Ｅとサブ領域６Ｅ，６Ｅ’は連結領域１０Ｅ，１０Ｅ’を介して間接的に連結されている。そして、メイン領域４Ｅとサブ領域６Ｅとの境界部に、メイン領域４Ｅの最大幅Ｗｍ５およびサブ領域６Ｅの最大幅Ｗｓ５より幅が狭い幅狭部８Ｅが形成され、メイン領域４Ｅとサブ領域６Ｅ’との境界部に、メイン領域４Ｅの最大幅Ｗｍ５およびサブ領域６Ｅ’の最大幅Ｗｓ５’より幅が狭い幅狭部８Ｅ’が形成されている。
【００３９】
（５）図３Ｆ：
図３Ｆに示す表示ラベル１Ｆにおいては、基材シート２Ｆが、メイン領域４Ｆと、メイン領域４Ｆに連結される、一のサブ領域６Ｆと、を有している。メイン領域４Ｆは略矩形状に形成され、サブ領域６Ｆは略円形状に形成されている。サブ領域６Ｆは、メイン領域４Ｆの右方向に突出するように配置されている。
【００４０】
メイン領域４Ｆとサブ領域６Ｆは連結領域１０Ｆを介して間接的に連結されている。そして、メイン領域４Ｆとサブ領域６Ｆとの境界部に、メイン領域４Ｆの最大幅Ｗｍ６およびサブ領域６Ｆの最大幅Ｗｓ６より幅が狭い幅狭部８Ｆが形成されている。
【００４１】
（７）図３Ｇ：
図３Ｇに示す表示ラベル１Ｇにおいては、基材シート２Ｇが、メイン領域４Ｇと、メイン領域４Ｇに連結される、一のサブ領域６Ｇと、を有している。メイン領域４Ｇ、サブ領域６Ｇはいずれも八角形状に形成されている。メイン領域４Ｇ、サブ領域６Ｇは同面積となるように形成されている。サブ領域６Ｇは、メイン領域４Ｇの右方向に突出するように配置されている。
【００４２】
メイン領域４Ｇとサブ領域６Ｇは端部同士で直接的に連結されている。そして、メイン領域４Ｇとサブ領域６Ｇとの境界部に、メイン領域４Ｇの最大幅Ｗｍ７およびサブ領域６Ｇの最大幅Ｗｓ７より幅が狭い幅狭部８Ｇが形成されている。
【００４３】
（８）図３Ｈ：
図３Ｈに示す表示ラベル１Ｈにおいては、基材シート２Ｈが、メイン領域４Ｈと、メイン領域４Ｈに連結される、四のサブ領域６Ｈ，６Ｈ’，６Ｈ’’，６Ｈ’’’と、を有している。メイン領域４Ｈ、サブ領域６Ｈ，６Ｈ’，６Ｈ’’，６Ｈ’’’はいずれも八角形状に形成されている。メイン領域４Ｈはサブ領域６Ｈ，６Ｈ’，６Ｈ’’，６Ｈ’’’よりも面積が大となるように形成されている。サブ領域６Ｈ，６Ｈ’，６Ｈ’’，６Ｈ’’’は同面積となるように形成されている。サブ領域６Ｈ，６Ｈ’，６Ｈ’’，６Ｈ’’’は、メイン領域４Ｈの上下左右方向に突出するように配置されている。
【００４４】
メイン領域４Ｈとサブ領域６Ｈ，６Ｈ’，６Ｈ’’，６Ｈ’’’は端部同士で直接的に連結されている。そして、メイン領域４Ｈとサブ領域６Ｈとの境界部に、メイン領域４Ｈの最大幅Ｗｍ８およびサブ領域６Ｈの最大幅Ｗｓ８より幅が狭い幅狭部８Ｈが形成され、メイン領域４Ｈとサブ領域６Ｈ’との境界部に、メイン領域４Ｈの最大幅Ｗｍ８およびサブ領域６Ｈの最大幅Ｗｓ８’より幅が狭い幅狭部８Ｈ’が形成されている。また、メイン領域４Ｈとサブ領域６Ｈ’’との境界部に、メイン領域４Ｈの最大幅Ｗｍ８およびサブ領域６Ｈの最大幅Ｗｓ８’’より幅が狭い幅狭部８Ｈ’’が形成され、メイン領域４Ｈとサブ領域６Ｈ’’’との境界部に、メイン領域４Ｈの最大幅Ｗｍ８およびサブ領域６Ｈ’’’の最大幅Ｗｓ８’’’より幅が狭い幅狭部８Ｈ’’’が形成されている。
【００４５】
なお、基材シートの材質は、通常、表示ラベルに用いられる材質の中から適宜選択して採用すればよく、特に限定されない。例えば、紙；ポリエチレン、ポリプロピレン、ポリエチレンテレフタレート等の合成樹脂；等を採用することができる。基材シートの厚さについても特に限定されない。商品容器に貼着可能な程度の柔軟性を有し、折り曲げが可能な厚さであることが好ましい。
【００４６】
［２−２］粘着層： 
粘着層を構成するための粘着剤は、通常、表示ラベルの粘着層に用いられる粘着剤の中から適宜選択して採用すればよく、特に限定されない。例えば、ゴム系粘着剤、アクリル系粘着剤、シリコーン系粘着剤等を採用することができる。
【００４７】
［３］本考案のラベル付き商品容器の構成：
図４Ａおよび図４Ｂを参照しながら、本考案のラベル付き商品容器の構成について説明する。図４Ａおよび図４Ｂに示すラベル付き商品容器５０は、商品容器５２と、表示ラベル１と、を備えている。
【００４８】
［３−１］商品容器：
ラベル付き商品容器５０においては、商品容器５２として整髪剤のエアゾール缶５４を用いている。但し、商品容器の種類は特に限定されない。従来、商品容器として用いられてきた各種容器を用いることができる。例えば、缶、ビン、ボトル、箱などを挙げることができる。商品の内容も特に限定されない。液状香粧品やガス状の香粧品、例えば、基礎化粧品（化粧水、化粧用クリームなど）；洗浄料（洗顔料、ボディーソープ、シャンプーなど）；毛髪化粧品（リンス、コンディショナー、トリートメント、スタイリング剤など）；メイクアップ用化粧品；などが挙げられる。
【００４９】
［３−２］表示ラベル：
ラベル付き商品容器５０においては、図１に示した表示ラベル１を用いている。但し、表示ラベルとしては本考案に係る表示ラベルである限り、その形態は特に限定されない。図１に示す表示ラベル１、表３Ａから表３Ｈに示す形態の表示ラベルの他、本考案の要件を満たす様々な表示ラベルを用いることができる。
【００５０】
［３−３］表示ラベルの貼着態様：
図４Ａおよび図４Ｂに示すラベル付き商品容器５０は、商品容器５２の表面に、表示ラベル１が貼着されている。具体的には、商品容器５２であるエアゾール缶５４の一部を構成するキャップ５６に表示ラベル１が貼着されている。そして、商品容器５２を正面視した際に、表示ラベル１のメイン領域４が商品容器５２の正面に位置し、表示ラベル１のサブ領域が商品容器５２の側面に位置するように、表示ラベル１が商品容器５２に貼着されている。
【００５１】
このような構成によれば、例えば、店頭での商品陳列時には、商品容器の正面に表示された、商品の内容、特徴、購入者が得られる利益・メリットなどの商品の広告宣伝的情報を視認し易く、商品容器の側面に回り込んだ商品の使用方法や商品を使用する際の注意事項などの説明書的情報は視認し難くなる。一方、商品の使用時のように商品容器を手に取った際には、商品の使用方法や商品を使用する際の注意事項などの説明書的情報が視認し易くなる。そして、商品の使用時においては、商品の内容、特徴、購入者が得られる利益・メリットなどの商品の広告宣伝的情報を視認することもできる。
【００５２】
但し、本考案のラベル付き商品容器は、図４Ａおよび図４Ｂに示す形態に限定されず、商品容器を正面視した際に、表示ラベルのメイン領域が商品容器の正面に位置し、表示ラベルのサブ領域が商品容器の天面、側面、背面および底面からなる群より選択される少なくとも一の面に位置するように、表示ラベルが商品容器に貼着されていればよい。このような構成であれば、メイン領域は商品容器の正面に位置し、サブ領域は商品容器の天面、側面、背面および底面のいずれかの面に回り込む。従って、図４Ａおよび図４Ｂに示す形態と同様の効果を得ることができる。
【００５３】
より具体的には、サブ領域が、メイン領域の左右方向に突出するように配置されている表示ラベルである場合には、商品容器を正面視した際に、表示ラベルのメイン領域が商品容器の正面に位置し、表示ラベルのサブ領域が商品容器の側面または商品容器の背面に位置するように、表示ラベルが前記商品容器に貼着されていることが好ましい。
【００５４】
また、サブ領域が、メイン領域の上下方向に突出するように配置されている表示ラベルである場合には、商品容器を正面視した際に、表示ラベルのメイン領域が商品容器の正面に位置し、表示ラベルのサブ領域が商品容器の天面、商品容器の背面または商品容器の底面に位置するように、表示ラベルが前記商品容器に貼着されていることが好ましい。
【産業上の利用可能性】
【００５５】
本考案の表示ラベルおよびラベル付き商品容器は、液状香粧品やガス状の香粧品、例えば、基礎化粧品（化粧水、化粧用クリームなど）；洗浄料（洗顔料、ボディーソープ、シャンプーなど）；毛髪化粧品（リンス、コンディショナー、トリートメント、スタイリング剤など）；メイクアップ用化粧品；などの商品容器に好適に利用することができる。
【符号の説明】
【００５６】
１，１Ａ，１Ｂ，１Ｃ，１Ｄ，１Ｅ，１Ｆ，１Ｇ，１Ｈ：  表示ラベル、
２，２Ａ，２Ｂ，２Ｃ，２Ｄ，２Ｅ，２Ｆ，２Ｇ，２Ｈ：  基材シート、
４，４Ａ，４Ｂ，４Ｃ，４Ｄ，４Ｅ，４Ｆ，４Ｇ，４Ｈ：  メイン領域、
６，６Ａ，６Ｂ，６Ｃ，６Ｃ’，６Ｄ，６Ｄ’，６Ｅ，６Ｅ’，６Ｆ，６Ｇ，６Ｈ，６Ｈ’，６Ｈ’’，６Ｈ’’’：  サブ領域、
８，８Ａ，８Ｂ，８Ｃ，８Ｃ’，８Ｄ，８Ｄ’，８Ｅ，８Ｅ’，８Ｆ，８Ｇ，８Ｈ，８Ｈ’，８Ｈ’’，８Ｈ’’’：  幅狭部、
１０Ｅ，１０Ｅ’，１０Ｅ’’，１０Ｆ：  連結領域、
５０：  ラベル付き商品容器、
５２：  商品容器、
５４：  エアゾール缶、
５６：  キャップ、
１０１：  表示ラベル、
１０２：  基材シート、
１０４：  メイン領域、
Ｗｍ，Ｗｍ１，Ｗｍ２，Ｗｍ３，Ｗｍ３’，Ｗｍ４，Ｗｍ５，Ｗｍ６，Ｗｍ７，Ｗｍ８：  メイン領域の最大幅、
Ｗｓ，Ｗｓ１，Ｗｓ２，Ｗｓ３，Ｗｓ３’，Ｗｍ４，Ｗｍ４’，Ｗｓ５，Ｗｓ５’，Ｗｓ６，Ｗｓ６’，Ｗｓ７，Ｗｓ８，Ｗｓ８’，Ｗｓ８’’，Ｗｓ８’’’：  サブ領域の最大幅。
【図１】
0003216249.tif 000003
【図２】
0003216249.tif 000004
【図３Ａ】
0003216249.tif 000005
【図３Ｂ】
0003216249.tif 000006
【図３Ｃ】
0003216249.tif 000007
【図３Ｄ】
0003216249.tif 000008
【図３Ｅ】
0003216249.tif 000009
【図３Ｆ】
0003216249.tif 000010
【図３Ｇ】
0003216249.tif 000011
【図３Ｈ】
0003216249.tif 000012
【図４Ａ】
0003216249.tif 000013
【図４Ｂ】
0003216249.tif 000014